(57)【要約】【課題】  簡易な構成により出力側の地絡を検出する点灯装置およびこの点灯装置を備える照明装置を提供する。【解決手段】  点灯装置１は、入力電力を所定の直流電力に変換する電力変換回路２と、電力変換回路２の高電位出力側に第１の抵抗Ｒ２を介して接続された第１の出力端子３と、電力変換回路２の低電位出力側に第２の抵抗Ｒ３を介して接続された第２の出力端子７ｂと、第１の抵抗Ｒ２の両端間電圧を検出する第１の電圧検出回路３と、第２の抵抗Ｒ３の両端間電圧を検出する第２の電圧検出回路４と、第１および第２の抵抗Ｒ２，Ｒ３の両端間電圧値を入力し、第１および第２の抵抗Ｒ２，Ｒ３の両端間電圧値の差分が所定値以上になるときに電力変換回路２の制御を停止する制御回路５と、を具備している。【選択図】図１
2017183188.tif 000002
【特許請求の範囲】
【請求項１】
入力電力を所定の直流電力に変換する電力変換回路と；
この電力変換回路の高電位出力側に第１の抵抗を介して接続された第１の出力端子と；
前記電力変換回路の低電位出力側に第２の抵抗を介して接続された第２の出力端子と；
前記第１の抵抗の両端間電圧を検出する第１の電圧検出回路と；
前記第２の抵抗の両端間電圧を検出する第２の電圧検出回路と；
前記第１および第２の出力端子間に接続された光源に所定の電流が流れるように前記電力変換回路を制御するとともに、前記第１および第２の抵抗の両端間電圧値を入力し、前記第１および第２の抵抗の両端間電圧値の差分が所定値以上になるときに前記電力変換回路の制御を停止する制御回路と；
を具備していることを特徴とする点灯装置。
【請求項２】
光源としてのＬＥＤと；
このＬＥＤを配設する装置本体と；
前記ＬＥＤを点灯する請求項１記載の点灯装置と；
を具備していることを特徴とする照明装置。
【発明の詳細な説明】
【技術分野】
【０００１】
本発明の実施形態は、地絡等に対する保護機能を有する点灯装置およびこの点灯装置を備える照明装置に関する。
【背景技術】
【０００２】
照明装置は、光源としてＬＥＤ等の半導体発光素子が用いられており、例えば複数個のＬＥＤを基板に実装したＬＥＤモジュールを配設している。ＬＥＤモジュールは、リード線により点灯装置に接続されている。ＬＥＤは、点灯装置から所定の直流電流が供給されることにより点灯される。そして、点灯装置は、交流電源を直流電源に変換する整流回路（ＡＣ−ＤＣ変換回路）および当該直流電源から所定の直流電力を生成してＬＥＤに供給する電力変換回路（ＤＣ−ＤＣ変換回路）を有して形成されている。  
【０００３】
点灯装置には、電力変換回路の出力側に地絡が発生したときに、その出力を停止するものがある。そして、地絡を電力変換回路の出力電圧のみで判定しようとすると誤判定が発生しやすいので、電力変換回路（直流電源回路）の後段側に地絡の有無を判定する地絡判定回路を設けているものがある（例えば特許文献１参照。）。
【先行技術文献】
【特許文献】
【０００４】
【特許文献１】ＷＯ２０１４／０６８９６６（第４頁、第１図）
【発明の概要】
【発明が解決しようとする課題】
【０００５】
電力変換回路の後段側において、地絡の有無を判定する地絡判定回路は、その構成が複雑であり、点灯装置をコストアップさせるという欠点を有する。
【０００６】
本実施形態は、簡易な構成により出力側の地絡を検出する点灯装置およびこの点灯装置を備える照明装置を提供することを目的とする。
【課題を解決するための手段】
【０００７】
本実施形態の点灯装置は、電力変換回路、第１の出力端子、第２の出力端子、第１の電圧検出回路、第２の電圧検出回路および制御回路を有して構成される。電力変換回路は、入力電力を所定の直流電力に変換する。第１の出力端子は、電力変換回路の高電位出力側に第１の抵抗を介して接続され、第２の出力端子は、電力変換回路の低電位出力側に第２の抵抗を介して接続される。第１および第２の出力端子間には、光源が接続される。
【０００８】
第１の電圧検出回路は、第１の抵抗の両端間電圧を検出し、第２の電圧検出回路は、第２の抵抗両端間の電圧を検出する。
【０００９】
制御回路は、光源に所定の電流が流れるように電力変換回路を制御する。制御回路には、第１の電圧検出回路から第１の抵抗の両端間電圧値が入力され、第２の電圧検出回路から第２の抵抗の両端間電圧値が入力される。そして、第１の抵抗の両端間電圧値と第２の抵抗の両端間電圧値の差分が所定値以上になるときに、電力変換回路の制御を停止する。
【発明の効果】
【００１０】
本実施形態の点灯装置によれば、制御回路は、第１および第２の抵抗の両端間電圧値の差分が所定値以上になるときに地絡と判定して、電力変換回路の制御を停止するので、電力変換回路を過電圧から保護できることが期待できる。
【図面の簡単な説明】
【００１１】
【図１】本発明の実施形態に示す点灯装置の概略回路図である。
【図２】同じく、照明装置を示し、（ａ）は概略斜視図、（ｂ）は一部切り欠き概略側面図である。
【発明を実施するための形態】
【００１２】
以下、本発明の一実施形態について、図面を参照して説明する。
【００１３】
本実施形態の点灯装置１は、図１に示すように、電力変換回路２、第１の電圧検出回路３、第２の電圧検出回路４および制御回路５を有して構成されている。点灯装置１は、その入力端子６ａ，６ｂが例えば商用交流電源Ｖｓに接続され、その第１および第２の出力端子７ａ，７ｂがＬＥＤモジュール８の光源としてのＬＥＤ９に接続されている。電力変換回路２は、直流電力を入力し、この直流電力を所定の直流電力に変換してＬＥＤ９に供給するように形成されている。したがって、点灯装置１は、電力変換回路２の前段側に整流回路１０を設けている。なお、点灯装置１は、商用交流電源Ｖｓが１００Ｖ、２００Ｖ、２４２Ｖのいずれにも対応可能に形成されている。
【００１４】
整流回路１０は、その入力側がフィルタ回路１１を介して商用交流電源Ｖｓに電気的に接続されており、入力した交流電源を整流して整流電圧（直流電圧）を出力する。整流回路１０は、例えば４個の整流素子を組み合わせたダイオードブリッジの全波整流器である。なお、整流回路１０は、半波整流器などでもよい。また、整流電圧は、全波整流された脈流でもよいし、半波整流された脈流でもよい。
【００１５】
フィルタ回路１１は、例えば商用交流電源Ｖｓから供給される交流電圧（交流電力）に含まれるノイズを抑制するとともに、点灯装置１でのスイッチング動作によって発生するノイズが商用交流電源Ｖｓ側に流出するのを防止する。
【００１６】
そして、整流回路１０の入力側および出力側にそれぞれバリスタ１２，１３が接続されている。バリスタ１２，１３は、それらのバリスタ電圧（動作電圧）が商用交流電源Ｖｓの交流電圧の電圧変動±１０％の最大値（ピーク値）よりも大きくなるように設定されている。バリスタ１２，１３のバリスタ電圧は、交流電圧（実効値）の１００Ｖ、２００Ｖ、２４２Ｖに対して、例えば２２０Ｖ、４７０Ｖ、４７０Ｖとなっている。
【００１７】
バリスタ１２は、整流回路１０の入力間の瞬時値電圧がバリスタ電圧以上になると導通する。これにより、整流回路１０の入力側には、バリスタ１２のバリスタ電圧以上の瞬時電圧が入力されにくい。また、バリスタ１３は、整流回路１０の出力間の瞬時値電圧がバリスタ電圧以上になると導通する。これにより、整流回路１０の出力間の電圧（瞬時値）がバリスタ１３のバリスタ電圧以下に抑制される。
【００１８】
そして、整流回路１０の出力電圧（整流電圧）は、突入防止回路１４を介して電力変換回路２に入力される。突入防止回路１４は、整流回路１０の高出力電位側に接続されている。突入防止回路１４は、商用交流電源Ｖｓの投入時に生じる突入電流を抑制するものであり、例えば、温度上昇に伴って抵抗値が低下するＮＴＣサーミスタなどが用いられている。
【００１９】
電力変換回路２は、力率改善回路１５および電力調整回路１６に形成されている。力率改善回路１５は、電源周波数の整数倍の高調波の発生を抑制した一定電圧を出力するように形成され、本実施形態では、昇圧チョッパ回路に形成されている。すなわち、力率改善回路１５は、整流回路１０から出力された整流電圧（脈流電圧）を入力するインダクタＬ１および電界効果トランジスタＱ１の直列回路と、電界効果トランジスタＱ１に並列接続されたダイオードＤ１および平滑用コンデンサＣ１の直列回路を有してなる。
【００２０】
電界効果トランジスタＱ１は、制御回路５によりスイッチング動作が制御される。制御回路５は、整流回路１０から出力された整流電圧（脈流電圧）を正弦波の半波波形に近づけるように電界効果トランジスタＱ１のスイッチング動作を制御することにより力率を改善する。そして、整流電圧は、ダイオードＤ１および平滑用コンデンサＣ１によって整流平滑される。平滑用コンデンサＣ１の両端間に一定の直流電圧が発生する。平滑用コンデンサＣ１は、直流電源となり、直流電圧（直流電力）を電力調整回路１６に入力する。
【００２１】
電力調整回路１６は、本実施形態では、降圧チョッパ回路に形成されている。すなわち、電力調整回路１６は、電界効果トランジスタＱ２およびダイオードＤ２の直列回路と、ダイオードＤ２の両端間に接続されたインダクタＬ２、コンデンサＣ２および抵抗Ｒ１の直列回路とを有してなり、電界効果トランジスタＱ２およびダイオードＤ２の直列回路の両端間に力率改善回路１５から直流電圧（直流電力）が入力される。
【００２２】
電界効果トランジスタＱ２の制御端子（ゲート）は、制御回路５に設けられた駆動回路１７に接続されている。駆動回路１７は、制御回路５の制御により駆動電圧を出力し、駆動電圧の出力を停止するように形成されている。この駆動電圧の出力および停止により、電界効果トランジスタＱ２は、スイッチング制御される。電界効果トランジスタＱ２は、コンデンサＣ２の両端間に所定の直流電圧が発生するようにスイッチング制御される。
【００２３】
コンデンサＣ２の高電位側と第１の出力端子７ａとの間には第１の抵抗Ｒ２が接続され、コンデンサＣ２の低電位側と第２の出力端子７ｂとの間には第２の抵抗Ｒ３が接続されている。すなわち、第１の出力端子７ａが電力変換回路２の高電位出力側に第１の抵抗Ｒ２を介して接続され、第２の出力端子７ｂが電力変換回路２の低電位出力側に第２の抵抗Ｒ３を介して接続されている。電力変換回路２が変換（生成）した所定の直流電圧（直流電力）は、第１および第２の抵抗Ｒ２，Ｒ３を介して第１および第２の出力端子７ａ，７ｂ間に出力される。
【００２４】
第１および第２の出力端子７ａ，７ｂは、リード線１７ａ，１７ｂを介してＬＥＤモジュール８の入力端子１８ａ，１８ｂに接続されている。ＬＥＤモジュール８は、光源モジュールや発光モジュールとも称されており、不図示の基板に光源としての複数個のＬＥＤ９が実装されている。複数個のＬＥＤ９は、直列接続されて入力端子１８ａ，１８ｂに電気接続されている。入力端子１８ａは、ＬＥＤ９の高電位側（アノード側）に接続され、入力端子１８ｂは、ＬＥＤ９の低電位側（カソード側）に接続されている。
【００２５】
ＬＥＤモジュール８は、入力端子１８ａ，１８ｂに直流電圧が入力すると、ＬＥＤ９に直流電流が入力端子１８ａ側から入力端子１８ｂ側に流れる。ＬＥＤ９は、点灯（発光）し、例えば白色光を放射する。なお、ＬＥＤモジュール８は、複数個のＬＥＤ９が複数列に設けられてもよく、直並列接続されて設けられてもよく、また、１個のＬＥＤ９を設けるものであってもよい。
【００２６】
電力調整回路１６の抵抗Ｒ１は、ＬＥＤ９に流れる直流電流を電圧降下によって検出する。すなわち、ＬＥＤ９に流れる直流電流は、抵抗Ｒ１によって検出電圧に変換される。この検出電圧は、制御回路５に入力される。制御回路５は、ＬＥＤ９に所定の直流電流が流れるように、すなわち、コンデンサＣ２の両端間に所定の直流電圧が発生するように、駆動回路１７を介して電界効果トランジスタＱ２をスイッチング制御する。
【００２７】
また、電力変換回路２には、力率改善回路１５の出力間に制御用電源回路１９が設けられている。制御用電源回路１９は、平滑用コンデンサＣ１に発生する直流電圧を制御回路５の動作電圧に変換して制御回路５に供給するように形成されている。制御回路５は、制御用電源回路１９からの電力供給に応じて動作する。
【００２８】
そして、第１および第２の電圧検出回路３，４は、電力変換回路２と第１および第２の出力端子７ａ，７ｂとの間に設けられている。第１の電圧検出回路３は、第１の抵抗Ｒ２の両端間電圧を検出し、第２の電圧検出回路４は、第２の抵抗Ｒ３の両端間電圧を検出する。
【００２９】
第１の電圧検出回路３は、第１および第２の出力端子７ａ，７ｂ間において、第１の抵抗Ｒ２の一端側に接続された抵抗Ｒ４および抵抗Ｒ５の直列回路と、第１の抵抗Ｒ２の他端側に接続された抵抗Ｒ６および抵抗Ｒ７の直列回路が設けられている。そして、抵抗Ｒ４および抵抗Ｒ５の接続点Ａ１と、抵抗Ｒ６および抵抗Ｒ７の接続点Ａ２との電圧差を増幅する差動増幅器２０を備えている。差動増幅器２０は、増幅した電圧差を第１の抵抗Ｒ２の両端間電圧値として制御回路５に入力する。
【００３０】
また、第２の電圧検出回路４は、第２の抵抗Ｒ３の両端側の電圧がそれぞれ制御回路５に入力されている。制御回路５のマイコンは、第２の抵抗Ｒ３の両端側の電圧差を算出して、第２の抵抗Ｒ３の両端間電圧値として入力している。
【００３１】
第１の抵抗Ｒ２には、電力変換回路２の出力電流が流れる。第１の抵抗Ｒ２の両端間電圧は、電力変換回路２の出力電流に相当する。第１の電圧検出回路３は、電力変換回路２の出力電流を検出することになる。また、第２の抵抗Ｒ３には、ＬＥＤモジュール８からの帰還電流が流れる。第２の抵抗Ｒ３の両端間電圧は、当該帰還電流に相当する。第２の電圧検出回路４は、ＬＥＤモジュール８からの帰還電流を検出することになる。
【００３２】
制御回路５は、不図示のマイコンや記憶部などを有して形成されている。制御回路５は、点灯装置１の製造時などにおいて、電力調整回路１６の抵抗Ｒ１による検出電圧と比較する目標値が設定されており、この目標値を記憶部やプログラムなどに設けている。そして、制御回路５は、抵抗Ｒ１による検出電圧が目標値となるように駆動回路１７を介して電界効果トランジスタＱ２をスイッチング制御するように形成されている。すなわち、制御回路５は、ＬＥＤモジュール８のＬＥＤ９に所定の直流電流が流れるように電力変換回路２を制御する。
【００３３】
また、制御回路５には、上述したように、第１の電圧検出回路３が検出した第１の抵抗Ｒ２の両端間電圧値が入力され、第２の電圧検出回路４が検出した第２の抵抗Ｒ３の両端間電圧値が入力されている。整流回路１０のマイコンは、入力した第１の抵抗Ｒ２の両端間電圧値と第２の抵抗Ｒ３の両端間電圧値との差分を常時算出し、その差分が所定値以上になるときには、電力変換回路２の制御を停止するように形成されている。ここで、所定値は、第１および第２の出力端子７ａ，７ｂを含み、第１および第２の出力端子７ａ，７ｂの後段側の地絡を検出可能な電圧値に設定されている。また、制御回路５が電力変換回路２の制御を停止する手段としては、例えば制御用電源回路１９からの制御回路５への電源供給を停止させることが挙げられる。
【００３４】
図２は、本実施形態の照明装置２１を示す。なお、図２において、図１と同一部分には同一符号を付して説明は省略する。照明装置２１は、天井面に直付けされるシーリングライトであり、図２（ｂ）に示すように、装置本体２２、ＬＥＤモジュール８および点灯装置１を有して構成されている。装置本体２２は、例えば冷間圧延鋼板によって、４辺に背丈の低い起立部２２ａを有する長方形の板状に形成されている。そして、装置本体２２は、図２（ａ）に示すように、短手方向中央部に長手方向に亘ってＶカバー２４を配設し、このＶカバー２４の両側に長手方向に亘って透光性カバー２５を配設している。
【００３５】
Ｖカバー２４は、薄鋼板により略Ｖ形の筒状に形成され、外表面２４ａが白色に形成されている。また、透光性カバー２５は、例えば透光性のポリカーボネート（ＰＣ）樹脂により略凹形の筒状に形成され、白色化されている。透光性カバー２５は、低い拡散性を有する。Ｖカバー２４の長手方向両端は、装置本体２２に起立して設けられた端板２６，２６により塞がれ、透光性カバー２５の長手方向両端には、キャップ２７，２７が取り付けられている。端板２６は、薄鋼板により形成され、キャップ２７は、ポリカーボネート（ＰＣ）樹脂により形成されている。  
【００３６】
ＬＥＤモジュール８は、図２（ｂ）に示すように、透光性カバー２５内において、装置本体２２に固定されている取付け板２８に不図示のねじにより取り付けられている。各透光性カバー２５内には、複数個例えば４個のＬＥＤモジュール８が設けられている。ＬＥＤモジュール８は、基板２９に複数個のＬＥＤ９が２列に設けられ、列毎に直列接続されている。そして、ＬＥＤモジュール８は、不図示のリード線１７ａ，１７ｂにより点灯装置１に接続されている。  
【００３７】
点灯装置１は、Ｖカバー２４内において、装置本体２２にねじにより着脱可能に取り付けられている。そして、点灯装置１は、不図示の入力線が外部の商用交流電源Ｖｓに接続されている。
【００３８】
次に、本実施形態の作用について説明する。
【００３９】
照明装置２１は、商用交流電源Ｖｓが投入されると、点灯装置１が動作し、点灯装置１から所定の直流電流がＬＥＤモジュール８に供給される。ＬＥＤ９は、点灯し、例えば白色光を放射する。白色光は、透光性カバー２５を透過して、床面側の空間を照明する。
【００４０】
そして、点灯装置１の制御回路５には、第１の電圧検出回路３が検出した第１の抵抗Ｒ２の両端間電圧値と、第２の電圧検出回路４が検出した第２の抵抗Ｒ３の両端間電圧値が入力される。制御回路５は、常時、第１の抵抗Ｒ２の両端間電圧値と第２の抵抗Ｒ３の両端間電圧値との差分を算出して、その差分が所定値以上であるか否かを判定（監視）している。また、制御回路５は、算出した差分を記憶部に上書きして記憶させている。
【００４１】
点灯装置１は、第１または第２の出力端子７ａ，７ｂ側が地絡することがある。すなわち、照明装置２１において、点灯装置１の交換など、装置本体２２に点灯装置１を取り付けることがある。点灯装置１を取り付けた後、点灯装置１の第１および第２の出力端子７ａ，７ｂとＬＥＤモジュール８の入力端子１８ａ，１８ｂは、リード線１７ａ，１７ｂにより電気接続される。このとき、第１または第２の出力端子７ａ，７ｂあるいはＬＥＤモジュール８の入力端子１８ａ，１８ｂに金属細線などの外部導体が不本意に接触して保持されることがある。また、リード線１７ａ，１７ｂの被覆を傷つかせて、リード線１７ａ，１７ｂの基線（裸線）が露出することがある。装置本体２２は、接地されているので、外部導体やリード線１７ａ，１７ｂの基線が装置本体２２に接触すると、点灯装置１の第１または第２の出力端子７ａ，７ｂ側が地絡する。
【００４２】
第１または第２の出力端子７ａ，７ｂ側が地絡した状態で商用交流電源Ｖｓが投入されると、又は、商用交流電源Ｖｓが投入されているときに第１または第２の出力端子７ａ，７ｂ側が地絡すると、装置本体２２等を介して商用交流電源Ｖｓのアース側との間に電流経路が形成され、第１の抵抗Ｒ２に流れる直流電流の電流値と第２の抵抗Ｒ３に流れる直流電流の電流値が異なるようになる。すなわち、第１の出力端子７ａ側が地絡すると、電力変換回路２から出力された直流電流は、商用交流電源Ｖｓのアース側の電流経路と、ＬＥＤモジュール８のＬＥＤ９および第２の抵抗Ｒ３側の電流経路に分流する。また、第２の出力端子７ｂ側が地絡すると、電力変換回路２から出力された直流電流は、商用交流電源Ｖｓのアース側の電流経路と、第２の抵抗Ｒ３側の電流経路に分流する。
【００４３】
そして、第１または第２の出力端子７ａ，７ｂ側が地絡すると、商用交流電源Ｖｓのアース側の電流経路に流れる直流電流の分、電力調整回路１２の抵抗Ｒ１に流れる直流電流が減少する。制御回路５は、ＬＥＤ９に所定の直流電流が流れるように電力調整回路１２の電界効果トランジスタＱ２をスイッチング制御するので、電力変換回路２の出力電圧を上昇させる。第１および第２の出力端子７ａ，７ｂ間の電圧は、地絡の程度によっては高電圧となる。また、第１の出力端子７ａ側が地絡すると、整流回路１０の出力間には、整流回路１０の出力電圧とＬＥＤモジュール８の入力端子１８ａ，１８ｂ間電圧との合計電圧が発生する。その合計電圧は、高電圧となる。
【００４４】
制御回路５は、第１の抵抗Ｒ２の両端間電圧値と第２の抵抗Ｒ３の両端間電圧値との差分が所定値以上になると、地絡が発生したと判定し、例えば制御用電源回路１９を制御して、制御用電源回路１９から制御回路５への電力供給を停止させる。これにより、制御回路５は、電力変換回路２の電界効果トランジスタＱ１，Ｑ２をスイッチング動作させる駆動電圧を供給できなくなり、電界効果トランジスタＱ１，Ｑ２がオフする。これにより、ＬＥＤ９は、消灯し、この消灯によって異常（地絡）が報知される。また、整流回路１０および電力変換回路２などに高電圧が継続的に印加されなくなり、点灯装置１の破壊が防止される。そして、地絡を取り除くことにより、点灯装置１は、継続して使用可能となる。
【００４５】
上述したように、点灯装置１は、電力変換回路２の出力電流を第１の抵抗Ｒ２の両端間電圧で検出する第１の電圧検出回路３と、ＬＥＤモジュール８からの帰還電流を第２の抵抗Ｒ３の両端間電圧で検出する第２の電圧検出回路４を備えて、制御回路５は、第１の抵抗Ｒ２の両端間電圧値と第２の抵抗Ｒ３の両端間電圧値との差分が所定値以上になるときに、地絡が発生したとするので、出力側に地絡判定回路を設ける必要がなく、簡易な構成で出力側の地絡を検出できる。
【００４６】
本実施形態の点灯装置１によれば、制御回路５は、第１および第２の抵抗Ｒ２，Ｒ３の両端間電圧値の差分が所定値以上になるときに地絡と判定して、電力変換回路２の制御を停止するので、簡易な構成で整流回路１０や電力変換回路２などを地絡による高電圧から保護することができ、これにより、地絡を取り除くことにより、点灯装置１を継続して使用できるという効果を有する。
【００４７】
また、本実施形態の照明装置２１によれば、第１および第２の出力端子７ａ，７ｂ側が地絡しても破壊を防止可能な点灯装置１を具備するので、地絡を取り除くことにより、継続して使用することができるという効果を有する。
【００４８】
なお、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００４９】
１…点灯装置、  ２…電力変換回路、  ３…第１の電圧検出回路、  ４…第２の電圧検出回路、  ５…制御回路、  ７ａ…第１の出力端子、  ７ｂ…第２の出力端子、  ９…光源としてのＬＥＤ、  ２１…照明装置、  ２２…装置本体、  Ｒ２…第１の抵抗、  Ｒ３…第２の抵抗
【図１】
2017183188.tif 000003
【図２】
2017183188.tif 000004